(57)【要約】【課題】容器を縦横に接して並ベ、積み重ねて輸送する場合であっても、内部の温度上昇や、内容物の鮮度等の低下や枯死を抑制でき、換気穴の形成及び閉塞が自在であって、強度にも優れた、生鮮野菜、果物又は生花輸送用の組立式箱型容器を提供すること。【解決手段】本発明の組立式箱型容器10は、内フラップ11a及び外フラップ11bにより形成される上面、底面と、側面(12a〜12d)と、垂直な稜(13a〜13d)と、上部の水平な稜(14a〜14d)と、底部の水平な稜(15a〜15d)とからなる、立方体又は直方体形状のダンボール製の組立式箱型容器である。該容器10は、垂直な稜における高さの１／２よりも高く、且つ上面に接しない範囲において、垂直な稜を含み、垂直な稜に連続する両側面の所定箇所に、内側に押し曲げることにより換気穴16を形成する切り込み部1aを、少なくとも２本の垂直な各稜に、少なくとも１箇所づつ設けたことを特徴とする。【選択図】  図１
2007055671.tif 000002
【特許請求の範囲】
【請求項１】
対向する内フラップ及び対向する外フラップにより各々形成される上面及び底面と、４つの側面と、該各側面により形成される４本の垂直な稜と、前記上面及び側面により形成される上部の４本の水平な稜と、前記底面及び側面により形成される底部の４本の水平な稜とからなる、立方体又は直方体形状のダンボール製の組立式箱型容器であって、
前記垂直な稜における高さの１／２よりも高く、且つ上面に接しない範囲において、前記垂直な稜を含み、該垂直な稜に連続する両側面の所定箇所に、内側に押し曲げることにより換気穴を形成する切り込み部(1a)を、少なくとも２本の前記垂直な各稜に、少なくとも１箇所づつ設けたことを特徴とする生鮮野菜、果物又は生花輸送用の組立式箱型容器。
【請求項２】
前記垂直な稜の高さの１／２よりも低く、且つ底面に接しない範囲において、前記垂直な稜を含み、該垂直な稜に連続する両側面の所定箇所に、内側に押し曲げることにより換気穴を形成する切り込み部(1b)を、少なくとも１本の前記垂直な稜に、少なくとも１箇所設けたことを特徴とする請求項１記載の組立式箱型容器。
【請求項３】
前記対向する側面に連続する上面の各外フラップを折り曲げることにより形成される上部の各水平な稜の少なくとも一方の、前記上面を形成する内フラップにオーバーラップしていない範囲において、該水平な稜を含み、該水平な稜に連続する外フラップと側面との所定箇所に、内側に押し曲げることにより換気穴を形成する切り込み部(1c)を、少なくとも１箇所設けたことを特徴とする請求項１又は２記載の組立式箱型容器。
【請求項４】
前記切り込み部(1a)の合計高さが、前記垂直な稜の高さに対して１／１００〜２０／１００の高さであり、且つ前記切り込み部(1a)の１つの側面への切り込み長さが、該側面の水平長さに対して１／１００〜４０／１００の長さである請求項１〜３のいずれか１項記載の組立式箱型容器。
【請求項５】
対向する内フラップ及び対向する外フラップにより各々形成される上面及び底面と、４つの側面と、該各側面により形成される４本の垂直な稜と、前記上面及び側面により形成される上部の４本の水平な稜と、前記底面及び側面により形成される底部の４本の水平な稜とからなる、直方体形状のダンボール製の組立式箱型容器であって、
前記対向する側面に連続する上面の各外フラップを折り曲げることにより形成される上部の各水平な稜の、前記上面を形成する内フラップにオーバーラップしていない範囲において、該水平な稜を含み、該水平な稜に連続する外フラップと側面との所定箇所に、内側に押し曲げることにより換気穴を形成する切り込み部(2a)を、前記各水平な稜の所定箇所に、各々少なくとも１箇所設けたことを特徴とする生鮮野菜、果物又は生花輸送用の組立式箱型容器。
【請求項６】
前記切り込み部(2a)の合計幅が、前記水平な稜の長さに対して１／１００〜２０／１００の幅であり、且つ前記切り込み部(2a)の前記外フラップ又は前記側面への切り込み長さが、１〜３０ｃｍである請求項５記載の組立式箱型容器。
【発明の詳細な説明】
【技術分野】
【０００１】
本発明は、特に、初夏から初秋等における、生鮮野菜、果物又は生花の輸送において、内部の温度上昇等を抑制し、内容物の鮮度等の低下や枯死を抑制しうる、生鮮野菜、果物又は生花輸送用の組立式箱型容器に関する。
【背景技術】
【０００２】
従来、生鮮野菜、果物等は、一組の対向する側面上部に手提げ用の穴を有するダンボール箱等に梱包され、輸送されている。また、近年、宅配による搬送等の進展に伴い、生花や鉢植え花もダンボール箱等に梱包され輸送されるようになっている。
しかし、特に、気温が高く、また湿気が多くなる初夏から初秋等における生花や鉢植え花の輸送においては、ダンボール箱の内部温度の上昇が著しく、その鮮度が低下するばかりでなく、生花の枯死等が生じる場合がある。
そこで、特許文献１又は２において、側面又は上面や底面の所望箇所に複数の通気穴を設けた、輸送用箱型容器が提案されている。
しかし、近年、このような箱型容器の輸送にあたっては、輸送効率を高めるために、該容器を縦横に接して並ベ、且つ積み重ねて輸送することが一般的である。このため、相互の箱の側面等が密着するので、上記特許文献に記載されるような側面等に設けた通気穴では、輸送中の通気効果がほとんど得られず、季節によっては、内部温度の上昇が著しくなり、その鮮度等が低下するという問題が生じている。
【特許文献１】実用新案登録第３１０１９７９号公報
【特許文献２】特開２００２−３３２０６８号公報
【発明の開示】
【発明が解決しようとする課題】
【０００３】
従って、本発明の課題は、特に、気温が高くなる初夏から初秋等における、生鮮野菜、果物又は生花の輸送において、特に、容器を縦横に接して並ベ、積み重ねて輸送する場合であっても、内部の温度上昇や、内容物の鮮度等の低下や枯死を抑制でき、更に、換気穴の形成及び閉塞が自在であって、容器の強度も維持しうる、生鮮野菜、果物又は生花輸送用の組立式箱型容器を提供することにある。
【課題を解決するための手段】
【０００４】
すなわち、本発明によれば、対向する内フラップ及び対向する外フラップにより各々形成される上面及び底面と、４つの側面と、該各側面により形成される４本の垂直な稜と、前記上面及び側面により形成される上部の４本の水平な稜と、前記底面及び側面により形成される底部の４本の水平な稜とからなる、立方体又は直方体形状のダンボール製の組立式箱型容器であって、前記垂直な稜における高さの１／２よりも高く、且つ上面に接しない範囲において、前記垂直な稜を含み、該垂直な稜に連続する両側面の所定箇所に、内側に押し曲げることにより換気穴を形成する切り込み部(1a)を、少なくとも２本の前記垂直な各稜に、少なくとも１箇所づつ設けたことを特徴とする生鮮野菜、果物又は生花輸送用の組立式箱型容器が提供される。
【０００５】
前記切り込み部(1a)は、垂直な稜における高さの１／２、好ましくは３／５よりも高く、且つ上面に接触しない箇所、好ましくは上面から１ｃｍ以上低い箇所に設けることができる。第１の切り込み部は、少なくとも２本、好ましくは３本又は４本の前記垂直な各稜に少なくとも１箇所づつ設けることができる。この際、箱型容器の大きさや、強度確保等によっては、前記各稜に設ける切り込み部(1a)の数は、２又は３程度の複数であっても良い。切り込み部を複数も受ける場合の各切り込み部の間隔は、ダンボール製の箱型容器の強度が低下しないように、適宜決定することができる。
切り込み部(1a)の形成箇所が、垂直な稜における高さの１／２未満の場合には、所望の換気作用が得られない恐れがある。要するに、本発明の容器においては、切り込み部(1a)は、喚起作用の効率を向上させるためにより高い位置に設けることが好ましい。尚、切り込み部(1a)を、上面に接触するように設けると、ダンボール製の箱型容器の強度が低下し、輸送時に積み重ね輸送が困難になる恐れがある。
【０００６】
前記切りこみ部(1a)の合計高さは、前記垂直な稜の高さに対して通常１／１００〜２０／１００の高さ、特に、２／１００〜１０／１００の高さであることが好ましい。ここで、前記切り込み部(1a)の合計高さとは、例えば、該切り込み部が１つの場合、その切り込み部の高さ、切り込み部が１本の垂直な稜の所定箇所に複数存在する場合は、それらの合計高さを意味する。また、前記切り込み部(1a)の１つの側面への切り込み長さは、該側面の水平長さに対して１／１００〜４０／１００の長さ、特に、２／１００〜２０／１００の長さであることが好ましい。前記切り込み部(1a)の１つの側面への切り込み長さとは、前記垂直な稜から一方の側面内側方向への切り込みの長さを意味する。
前記切り込み部(1a)の合計高さが、前記垂直な稜の高さに対して１／１００より低い高さの場合には、所望の換気作用が得られない恐れがあり、一方、前記垂直な稜の高さに対して２０／１００より高い高さの場合には、箱型容器の強度が低下する恐れがある。
また、前記切り込み部(1a)の１つの側面への切り込み長さが、該側面の水平長さに対して１／１００未満の長さの場合には、所望の換気作用が得られない恐れがあり、一方、４０／１００の長さより長い場合には、切り込み部(1a)を内側に折り曲げた際に、該折り曲げ部が内部側に突出し、内部容積を縮小する割合が高くなると共に、箱型容器の強度が低下する恐れがある。
【０００７】
本発明の組立式箱型容器は、前記切り込み部(1a)に加えて、前記垂直の稜における高さの１／２よりも低く、且つ底面に接触しない箇所、好ましくは底面から１ｃｍ以上高い箇所に切り込み部(1b)を設けることもできる。切り込み部(1b)は、少なくとも１本の前記垂直な稜に少なくとも１箇所、好ましくは、２〜４本の垂直な稜に各１箇所づつ設けることができる。この際、箱型容器の大きさや強度確保等においては、前記各稜に設ける切り込み部(1b)の数は、２又は３程度の複数であっても良い。切り込み部を複数設ける場合の各切り込み部の間隔は、ダンボール製の箱型容器の強度が低下しないように、適宜決定することができる。尚、切り込み部(1b)を、底面に接触するように設けると、箱型容器の強度が低下し、輸送時に積み重ね輸送が困難になる恐れがある。
前記切り込み部(1b)の合計高さ、並びに前記切り込み部(1b)の１つの側面への切り込み長さは、上述の第１の切り込み部と同様な高さや長さにすることが好ましい。
【０００８】
本発明の組立式箱型容器は、前記対向する側面に連続する上面の各外フラップを折り曲げることにより形成される上部の各水平な稜の少なくとも一方の、前記上面を形成する内フラップにオーバーラップしていない範囲において、該水平な稜を含み、該水平な稜に連続する外フラップと側面との所定箇所に、内側に押し曲げることにより換気穴を形成する切り込み部(1c)を、少なくとも１箇所設けることもできる。このような上面の水平の稜を含む箇所に切り込み部(1c)を設けることによって、更に、換気効率が向上する。
前記切り込み部(1c)の大きさは、前記２つの内部フラップの間隔、箱型容器の大きさ等に応じて適宜選択することができる。
【０００９】
また本発明によれば、対向する内フラップ及び対向する外フラップにより各々形成される上面及び底面と、４つの側面と、該各側面により形成される４本の垂直な稜と、前記上面及び側面により形成される上部の４本の水平な稜と、前記底面及び側面により形成される底部の４本の水平な稜とからなる、直方体形状のダンボール製の組立式箱型容器であって、前記対向する側面に連続する上面の各外フラップを折り曲げることにより形成される上部の各水平な稜の、前記上面を形成する内フラップにオーバーラップしていない範囲において、該水平な稜を含み、該水平な稜に連続する外フラップと側面との所定箇所に、内側に押し曲げることにより換気穴を形成する切り込み部(2a)を、前記各水平な稜の所定箇所に、各々少なくとも１箇所設けたことを特徴とする生鮮野菜、果物又は生花輸送用の組立式箱型容器が提供される。
【００１０】
前記切り込み部(2a)は、換気穴を自在に形成及び閉塞しうるようにするために、前記内フラップにオーバーラップしていない範囲に形成する必要がある。切り込み部(2a)は、前記各水平な稜を含む所定箇所に、各々少なくとも１箇所、好ましくは２〜３箇所設けることができる。切り込み部を複数も受ける場合の各切り込み部の間隔は、ダンボール製の箱型容器の強度が低下しないように、適宜決定することができる。
前記切りこみ部(2a)の合計幅は、前記水平な稜の長さに対して、通常、１／１００〜２０／１００の幅、特に２／１００〜１０／１００の幅であることが好ましい。前記切り込み部(2a)の合計幅とは、例えば、切り込み部(2a)が、前記一方の水平な稜に１つの場合、その切り込み部(2a)の幅、前記一方の水平な稜に切り込み部(2a)が複数存在する場合は、それらの合計幅を意味する。
また、前記切り込み部(2a)の前記外フラップ又は前記側面への切り込み長さは、容器の大きさ、外フラップ及び前記側面の大きさを勘案して、適宜決定することができるが、通常１〜３０ｃｍの範囲、特に２〜１０ｃｍの範囲から適宜選択することが好ましい。
【００１１】
前記切り込み部(2a)の合計幅が、前記水平な稜の長さに対して１／１００より短い幅である場合には、所望の換気作用が得られない恐れがあり、一方、前記水平な稜の長さに対して２０／１００より長い幅の場合には、箱型容器の強度が低下する恐れがある。
また、前記切り込み部(2a)の切り込み長さが、短い場合には、所望の換気作用が得られない恐れがあり、一方、長い場合には、切り込み部(2a)を内側に折り曲げた際に、該折り曲げ部が内部側に突出し、内部容積を縮小する割合が高くなると共に、箱型容器の強度が低下する恐れがある。従って、前記切り込み部(2a)の切り込み長さは、容器の大きさ、外フラップ及び前記側面の大きさを考慮して前記好ましい範囲から適宜選択することが好ましい。
【００１２】
本発明の組立式箱型容器は、組立を簡便にし、手軽に使い捨て等し易くするために、更には、所望の換気作用を容易に得ることができるダンボール製である。このようなダンボール製とすることにより、該箱型容器を、縦横に並べたり、積み重ねた場合に、各容器の稜同士が完全に接触状態となることが少なく、前記各切り込み部を内側に折り曲げて形成される換気穴が完全に塞がれることがなく、輸送時においても容器内の所望の換気が得られ易い。
本発明の組立式箱型容器において、前記各切り込み部を内側に押し曲げることにより形成される換気穴は、逆に、内側から外側に押し戻すことにより、元の形状に復元させることができ、例えば、気温が低い場合には、換気穴を形成しないようにすることも可能である。また、前記各切り込み部を内側に押し曲げることにより形成される換気穴は、ある程度の強度を有するので、該箱型容器を運搬する際に、一時的に手持ち穴としても使用することが可能である。
また、本発明の組立式箱型容器には、必要に応じて、側面等に手提げ用の穴等を設けることも可能である。
【００１３】
本発明の組立式箱型容器により輸送可能な生鮮野菜、果物又は生花の種類は特に限定されず、例えば、生花は鉢植え又は切花等のいずれであっても良い。
本発明の組立式箱型容器の大きさは、梱包する生鮮野菜、果物又は生花の種類や大きさにおいて適宜決定することができる。
【発明の効果】
【００１４】
本発明の生鮮野菜、果物又は生花輸送用の組立式箱型容器は、前記垂直な稜における所定の箇所に、内側に押し曲げることにより換気穴が形成される切り込み部(1a)を、少なくとも２本の前記垂直な各稜に少なくとも１箇所づつ設けているので、また、前記上面の各水平な稜における所定の箇所に、内側に押し曲げることにより換気穴が形成される切り込み部(1a)を少なくとも１箇所づつ設けているので、特に、気温が高く、また湿気が多くなる初夏から初秋等における、生鮮野菜、果物又は生花の輸送において、内部の温度上昇等を抑制し、内容物の鮮度等の低下や枯死を抑制することができる。しかも、該組立式箱型容器は、簡便な組立が可能であって、容器の強度も維持しうるので、縦横に並べ、積み重ねて輸送する大量輸送への使用に特に好適である。
【発明を実施するための最良の形態】
【００１５】
以下、本発明を、図面を参照して実施の形態を説明するが、本発明はこれらに限定されない。
図１は、本発明の一実施形態である縦長直方体状の組立式箱型容器１０の概略斜視図であって、図２はその展開図である。以下に、容器１０を、図２の展開図を参照して説明する。尚、図１に示される部分と同一部分については、図２に同一番号を付して説明する。
容器１０は、対向する内フラップ１１ａ及び対向する外フラップ１１ｂにより各々形成される上面及び底面と、４つの側面(１２ａ〜１２ｄ)と、該各側面(１２ａ〜１２ｄ)により形成される４本の垂直な稜(１３ａ〜１３ｄ)と、前記上面及び側面(１２ａ〜１２ｄ)により形成される上部の４本の水平な稜(１４ａ〜１４ｄ)と、前記底面及び側面(１２ａ〜１２ｄ)により形成される底部の４本の水平な稜(１５ａ〜１５ｄ)とからなる。
【００１６】
図２に示すように、前記垂直な稜(１３ａ〜１３ｃ)を含み、該垂直な稜(１３ａ〜１３ｃ)に連続する両側面(１２ａ，１２ｄ)、(１２ａ，１２ｂ)、(１２ｂ，１２ｃ)の３箇所に、切り込み部１ａを設けている。該切り込み部１ａは、垂直な稜(１３ａ〜１３ｃ)における高さの３／５よりも高く、且つ上面に接触しない箇所に設けられている。該切り込み部１ａは、図１の容器１０を組立てた状態において、内側に押し曲げることにより、換気穴１６を形成する。該換気穴１６は、内側から外側に押し広げることにより、容易に換気穴を閉塞状態とすることもできる。
該換気穴１６は、上記所定の高さに、且つ上述した好ましい所定の大きさで形成されているので、容器１０内の温度上昇した空気が容器１０の上方において篭るのを防止し、容器１０内の空気を容易に換気することができる。
また、複数の容器１０を縦横に並べた場合であっても、換気穴１６の側面部分の箇所は閉塞される可能性があるが、換気穴１６の垂直な稜(１３ａ〜１３ｃ)周辺の部分は、容器１０がダンボール製であるために、完全に並列する他の容器１０の側面によって閉塞されることがなく、換気穴の機能を保持することができる。
尚、図２において１７は、容器１０を組立てる際に側面を固定するための糊代である。
【００１７】
図３は、図１の容器１０に換気穴を追加した本発明の他の実施形態である縦長直方体状の組立式箱型容器３０の概略斜視図であって、図１と同じ部材については同一番号を付してその説明を省略する。
容器３０には、垂直な稜(１３ａ〜１３ｃ)を含み、該垂直な稜(１３ａ〜１３ｃ)に連続する両側面(１２ａ，１２ｄ)、(１２ａ，１２ｂ)、(１２ｂ，１２ｃ)に形成した換気穴１６の下方に同様な形態の換気穴３１を３箇所設けている。
該換気穴３１は、図示するように前記垂直の稜(１３ａ〜１３ｃ)における高さの１／２よりも低く、且つ底面に接触しない高さの箇所にそれぞれ形成されているので、換気穴１６と共に容器３０内の空気をより容易に換気することができる。
【００１８】
図４は、本発明の更に他の実施形態である横長直方体状の組立式箱型容器４０の概略斜視図であって、図５はその展開図である。以下に、容器４０を、図５の展開図を参照して説明する。尚、図４に示される部分と同一部分については、図５に同一番号を付して説明する。
容器４０は、対向する内フラップ４１ａ及び対向する外フラップ４１ｂにより各々形成される上面及び底面と、４つの側面(４２ａ〜４２ｄ)と、該各側面(４２ａ〜４２ｄ)により形成される４本の垂直な稜(４３ａ〜４３ｄ)と、前記上面及び側面(４２ａ〜４２ｄ)により形成される上部の４本の水平な稜(４４ａ〜４４ｄ)と、前記底面及び側面(４２ａ〜４２ｄ)により形成される底部の４本の水平な稜(４５ａ〜４５ｄ)とからなる。
【００１９】
図５に示すように、前記垂直な稜(４３ａ〜４３ｃ)を含み、該垂直な稜(４３ａ〜４３ｃ)に連続する両側面(４２ａ，４２ｄ)、(４２ａ，４２ｂ)、(４２ｂ，４２ｃ)の３箇所に、切り込み部１ａを設けている。該切り込み部１ａは、垂直な稜(４３ａ〜４３ｃ)における高さの３／５よりも高く、且つ上面に接触しない箇所に設けられている。該切り込み部１ａは、図４の容器４０を組立てた状態において、内側に押し曲げることにより、換気穴４６を形成する。該換気穴４６は、内側から外側に押し広げることにより、容易に換気穴を閉塞状態とすることもできる。
該換気穴４６は、上記所定の高さに、且つ上述した好ましい所定の大きさで形成されているので、容器４０内の温度上昇した空気が容器４０の上方において篭るのを防止し、容器４０内の空気を容易に換気することができる。
また、複数の容器４０を縦横に並べた場合であっても、換気穴４６の側面部分の箇所は閉塞される可能性があるが、換気穴４６の垂直な稜(４３ａ〜４３ｃ)周辺の部分は、容器４０がダンボール製であるために、完全に並列する他の容器４０の側面によって閉塞されることがなく、換気穴の機能を保持することができる。
尚、図５において４７は、容器４０を組立てる際に側面を固定するための糊代である。
【００２０】
図６は、本発明の他の実施形態である横長直方体状の組立式箱型容器６０の概略斜視図であって、図７はその展開図である。以下に、容器６０を、図７の展開図を参照して説明する。尚、図６に示される部分と同一部分については、図７に同一番号を付して説明する。
容器６０は、対向する内フラップ６１ａ及び対向する外フラップ６１ｂにより各々形成される上面及び底面と、４つの側面(６２ａ〜６２ｄ)と、該各側面(６２ａ〜６２ｄ)により形成される４本の垂直な稜(６３ａ〜６３ｄ)と、前記上面及び側面(６２ａ〜６２ｄ)により形成される上部の４本の水平な稜(６４ａ〜６４ｄ)と、前記底面及び側面(６２ａ〜６２ｄ)により形成される底部の４本の水平な稜(６５ａ〜６５ｄ)とからなる。
【００２１】
図７に示すように、前記水平な稜(６４ａ，６４ｃ)を含み、該水平な稜(６４ａ，６４ｃ)に連続する外フラップ６１ｂと側面(６２ａ，６２ｃ)との図示する４箇所に、切り込み部２ａを設けている。該切り込み部２ａは、内フラップ６１ａを折り曲げて上面を形成する際に、該内フラップ６１ａがオーバーラップしていない範囲にそれぞれ設けられている。
該切り込み部２ａは、図６の容器６０を組立てた状態において、内側に押し曲げることにより、換気穴６６を形成する。該換気穴６６は、内側から外側に押し広げることにより、容易に換気穴を閉塞状態とすることもできる。
該換気穴６６は、上記上面の水平な稜(６４ａ，６４ｃ)の所定の箇所に、上述した好ましい所定の大きさで形成されているので、容器６０内の温度上昇した空気が容器６０の上方において篭るのを防止し、容器６０内の空気を容易に換気することができる。
また、複数の容器６０を縦横に並べた場合であっても、換気穴６６は閉塞されず、更に複数の容器６０を積重ねた場合であっても、換気穴６６の水平な稜(６４ａ，６４ｃ)周辺の部分は、容器６０がダンボール製であるために、積重ねられた他の容器６０の底面によって完全に閉塞されることがなく、換気穴の機能を保持することができる。
尚、図７において６７は、容器６０を組立てる際に側面を固定するための糊代である。
【００２２】
図８は、本発明の他の実施形態である横長直方体状の組立式箱型容器８０の概略斜視図である。容器８０の構造は、図４の容器４０に図６の容器６０で説明した換気穴６６を追加した構造であるので、図４と同一番号を付し、更に、図６の換気穴と同一番号を付すことによりその説明を省略する。
【図面の簡単な説明】
【００２３】
【図１】本発明の生鮮野菜、果物又は生花輸送用の組立式箱型容器の一実施形態を説明するための概略斜視図である。
【図２】図１に示す容器の展開図である。
【図３】本発明の生鮮野菜、果物又は生花輸送用の組立式箱型容器の他の実施形態を説明するための概略斜視図である。
【図４】本発明の生鮮野菜、果物又は生花輸送用の組立式箱型容器の更に他の実施形態を説明するための概略斜視図である。
【図５】図４に示す容器の展開図である。
【図６】本発明の生鮮野菜、果物又は生花輸送用の組立式箱型容器の更に他の実施形態を説明するための概略斜視図である。
【図７】図６に示す容器の展開図である。
【図８】本発明の生鮮野菜、果物又は生花輸送用の組立式箱型容器の更に他の実施形態を説明するための概略斜視図である。
【符号の説明】
【００２４】
１０，３０，４０，６０，８０：組立式箱型容器
１１ａ，４１ａ，６１ａ：内フラップ
１１ｂ，４１ｂ，６１ｂ：外フラップ
１２ａ〜１２ｄ，４２ａ〜４２ｄ，６２ａ〜６２ｄ：側面
１３ａ〜１３ｄ，４３ａ〜４３ｄ，６３ａ〜６３ｄ：垂直な稜
１４ａ〜１４ｄ，４４ａ〜４４ｄ，６４ａ〜６４ｄ：上部の水平な稜
１５ａ〜１５ｄ，４５ａ〜４５ｄ，６５ａ〜６５ｄ：底部の水平な稜
１ａ，２ａ：切り込み部
１６，３１，４６，６６：換気穴
【図１】
2007055671.tif 000003
【図２】
2007055671.tif 000004
【図３】
2007055671.tif 000005
【図４】
2007055671.tif 000006
【図５】
2007055671.tif 000007
【図６】
2007055671.tif 000008
【図７】
2007055671.tif 000009
【図８】
2007055671.tif 000010